(57)【要約】      （修正有）【課題】使用者の自発呼吸を継続するだけで低酸素状態を作り出すことができ、簡単な構成で安価に製造することができ、低酸素空気状態を長時間持続させることができ、長時間の継続使用でも使用者に負担がかからない低酸素呼吸装置を提供する。【解決手段】使用者の口及び鼻を覆うマスク部材４と、使用者の呼気内の炭酸ガスを吸収する炭酸ガス吸収部６と、所定量の空気を格納可能な呼気格納部１４とからなり、呼気格納部は、炭酸ガス吸収部を介してマスク部材と通気可能に連結されている。他の形態としては、使用者の口及び鼻を覆うマスク部材と、所定量の空気を格納可能な呼気格納部とを備え、マスク部材及び呼気格納部間には、使用者の呼気が通過する呼気路と、使用者の吸気が通過する吸気路とが設けられ、呼気路には、呼気内の炭酸ガスを吸収する炭酸ガス吸収部が設けられている。炭酸ガス吸収部としては、中空の略筒状体内部に二酸化炭素吸収剤を設けた。【選択図】図２
2006325722.tif 000002
【特許請求の範囲】
【請求項１】
使用者の口及び鼻を覆うマスク部材と、該使用者の呼気内の炭酸ガスを吸収する炭酸ガス吸収部と、所定量の空気を格納可能な呼気格納部とからなり、該呼気格納部は、前記炭酸ガス吸収部を介して該マスク部材と通気可能に連結されていることを特徴とする簡易型低酸素呼吸装置。
【請求項２】
前記炭酸ガス吸収部は、中空の略筒状体からなり、内部に二酸化炭素吸収剤が設けられていることを特徴とする請求項１に記載の簡易型低酸素呼吸装置。
【請求項３】
前記二酸化炭素吸収剤は、該筒状体頂部及び周面に間隙を設けて該筒状体内に充填され、該二酸化炭素吸収剤内には、該筒状体底部から該二酸化炭素吸収剤内部に向かって伸びる略筒状の通気路が設けられ、該通気路は、前記呼気格納部と通気可能に連結していることを特徴とする請求項２に記載の簡易型低酸素呼吸装置。
【請求項４】
前記炭酸ガス吸収部及び前記呼気格納部内には一対の排気管と吸気管が設けられ、該排気管は、前記炭酸ガス吸収部内に排気管吸気口が設けられ、前記呼気格納部内に排気管排出口が設けられ、該排気管排出口は、該呼気格納部の底部近傍に位置し、該排気管排出口には逆止弁が設けられ、該吸気管は、前記炭酸ガス吸収部内に吸気管排出口が設けられ、前記呼気格納部内に吸気管吸気口が設けられ、該吸気管吸気口は、該炭酸ガス吸収部内と該呼気格納部内の連結部近傍に位置し、該吸気管排出口には逆止弁が設けられていることを特徴とする請求項１〜３のいずれかに記載の簡易型低酸素呼吸装置。
【請求項５】
前記マスク部材、前記炭酸ガス吸収部、前記呼気格納部が各々取り外し可能に連結していることを特徴とする請求項１〜４のいずれかに記載の簡易型低酸素呼吸装置。
【請求項６】
前記炭酸ガス吸収部には、所定量の外気を補給するための補給孔が設けられていることを特徴とする請求項１〜５のいずれかに記載の簡易型低酸素呼吸装置。
【請求項７】
使用者の口及び鼻を覆うマスク部材と、所定量の空気を格納可能な呼気格納部とを備え、該マスク部材及び該呼気格納部間には、使用者の呼気が通過する呼気路と、使用者の吸気が通過する吸気路とが設けられ、該呼気路には、呼気内の炭酸ガスを吸収する炭酸ガス吸収部が設けられていることを特徴とする簡易型低酸素呼吸装置。
【請求項８】
前記呼気路及び前記吸気路はそれぞれ逆止弁が設けられ、該逆止弁は、使用者の呼気時に吸気路を閉塞し、使用者の吸気時に呼気路を閉塞することを特徴とする請求項７に記載の簡易型低酸素呼吸装置。
【請求項９】
前記炭酸ガス吸収部は、中空の略筒状体からなり、内部に二酸化炭素吸収剤が設けられていることを特徴とする請求項７又は８に記載の簡易型低酸素呼吸装置。
【請求項１０】
前記二酸化炭素吸収剤は、該筒状体頂部及び周面に間隙を設けて該筒状体内に充填され、該二酸化炭素吸収剤内には、該筒状体底部から該二酸化炭素吸収剤内部に向かって伸びる略筒状の通気路が設けられ、該通気路は、前記呼気格納部と通気可能に連結していることを特徴とする請求項９に記載の簡易型低酸素呼吸装置。
【請求項１１】
前記マスク部材、前記炭酸ガス吸収部、前記呼気格納部が各々取り外し可能に連結していることを特徴とする請求項７〜１０のいずれかに記載の簡易型低酸素呼吸装置。
【請求項１２】
前記炭酸ガス吸収部には、所定量の外気を補給するための補給孔が設けられていることを特徴とする請求項７〜１１のいずれかに記載の簡易型低酸素呼吸装置。
【発明の詳細な説明】
【技術分野】
【０００１】
本発明は、低酸素濃度の空気を呼吸し続けることによって、健康増進、病気の予防や治療の促進に貢献することを目的とした低酸素呼吸装置に関するものである。
【背景技術】
【０００２】
近年、通常時よりも単位体積当りの酸素濃度が低い状態が健康に好ましい影響を与えることが知られるようになった。この通常時よりも酸素濃度が低い状態を低酸素空気又は低酸素状態と呼ぶ。Michael P. Ward London Chapman And Hall Medicine社出版の「HighAltitude Medicine And Physiology 」中には、３０００ｍ以上のエチオピア高原の原住民にマラリア疾患が極めて少ないことを発見し、低酸素空気が健康に好影響を与えているといった報告を記載している。また、最近では多くのマラソンランナーが、国内又は海外の標高の高い場所でトレーニングを行い、好成績を収めている。これも、低酸素状態でトレーニングを行うことにより、心肺機能、持久力、基礎体力が向上したためと考えられている。
【０００３】
そこで、本発明者は、簡単な構成によって安価に低酸素空気が得られる「呼吸気体格納装置」を平成３年６月２４日に出願し、平成７年６月５日付けで出願公告（実公平７−２４１１０号、登録第２，１１５，４４６号）を受けた。
【０００４】
この呼吸気体格納装置は、貫通部を有し呼吸口に当てるマスクと、このマスクに連結されるとともにその貫通部を介してそのマスクの呼吸口側と連通された閉鎖空間を有する呼吸気体格納タンクを有するものである。閉鎖区間内又はこれに連通する部分に二酸化炭素を吸収させる二酸化炭素吸収剤を配置し、各々逆止部材を有する吸気管および又は排気管をその閉鎖区間内に差込んで上記マスクと閉鎖空間を連通する構成となっている。
【特許文献１】実公平７−２４１１０号
【非特許文献１】Michael P. Ward London Chapman And Hall Medicine社出版「HighAltitude Medicine And Physiology 」の７１〜７３頁
【発明の開示】
【発明が解決しようとする課題】
【０００５】
しかし、上記した実公平７−２４１１０号に記載の呼吸気体格納装置は、使用中に酸素濃度が急激に低下するため、低酸素空気の効果を得にくいという問題を有していた。図７は、従来の呼吸気体格納装置を使用し、安静状態の呼吸を継続した時の呼吸気体格納タンク内の酸素濃度変化を示したグラフである。なお、呼吸気体格納タンクは、５リットル程度の容量のものを使用した。このグラフが示すように、使用開始から約２〜３分で酸素濃度が１０％以下に低下してしまい、健康に好ましいとされる１５〜１０％程度の低酸素空気状態を長く維持することができない。
【０００６】
また、従来の呼吸気体格納装置は基本的に密閉状態であるため、自発呼吸を継続すると徐々に息苦しくなる。つまり、安静状態の通常呼吸が困難となり、呼吸が乱れてしまうため、呼吸気体格納タンク内の酸素濃度が不安定になりやすいという問題を有していた。また、使用者は呼気及び吸気を二酸化炭素吸収剤に通過させなければならない。つまり、通常呼吸時よりも呼気及び吸気に圧力をかけなければならないため、使用者に負担が生じ、呼吸が乱れやすく、長時間の継続しようが困難であるという問題を有していた。
【０００７】
また、自動的に低酸素状態を作り出すような機械や装置を設けると、呼吸気体格納装置のコストが高くなってしまうと共に、メンテナンスなどが非常に面倒であるという問題も有している。更に、装置自体が複雑化・大型化し、設置場所や設置環境が限られ、手軽・簡単に使用することができないという問題もある。
【０００８】
以上のことから、使用者が自発呼吸を継続するだけで低酸素状態を作り出すことができ、簡単な構成で安価に製造することができ、低酸素空気状態を長時間持続させることができ、長時間使用しても使用者に負担がかかりにくい低酸素呼吸装置の開発が望まれていた。
【課題を解決するための手段】
【０００９】
上記課題を解決するために本発明に係る低酸素呼吸装置は、使用者の口及び鼻を覆うマスク部材と、使用者の呼気内の炭酸ガスを吸収する炭酸ガス吸収部と、所定量の空気を格納可能な呼気格納部とからなり、呼気格納部は、炭酸ガス吸収部を介してマスク部材と通気可能に連結されていることを特徴とする。
【００１０】
また、炭酸ガス吸収部は、中空の略筒状体からなり、内部に二酸化炭素吸収剤が設けられていても良い。更に、二酸化炭素吸収剤は、筒状体頂部及び周面に間隙を設けて筒状体内に充填され、二酸化炭素吸収剤内には、筒状体底部から二酸化炭素吸収剤内部に向かって伸びる略筒状の通気路が設けられ、通気路は、呼気格納部と通気可能に連結しても良い。
【００１１】
また、炭酸ガス吸収部及び呼気格納部内には一対の排気管と吸気管が設けられ、排気管は、炭酸ガス吸収部内に排気管吸気口が設けられ、呼気格納部内に排気管排出口が設けられ、排気管排出口は、呼気格納部の底部近傍に位置し、排気管排出口には逆止弁が設けられ、吸気管は、炭酸ガス吸収部内に吸気管排出口が設けられ、呼気格納部内に吸気管吸気口が設けられ、吸気管吸気口は、炭酸ガス吸収部内と呼気格納部内の連結部近傍に位置し、吸気管排出口には逆止弁が設けられていることを特徴とする。
【００１２】
また、マスク部材、炭酸ガス吸収部、呼気格納部が各々取り外し可能に連結していても良い。
【００１３】
また、炭酸ガス吸収部には、所定量の外気を補給するための補給孔が設けられていても良い。
【００１４】
また、前記課題を解決するために本発明に係る低酸素呼吸装置の一実施の形態として、使用者の口及び鼻を覆うマスク部材と、所定量の空気を格納可能な呼気格納部とを備え、マスク部材及び呼気格納部間には、使用者の呼気が通過する呼気路と、使用者の吸気が通過する吸気路とが設けられ、呼気路には、呼気内の炭酸ガスを吸収する炭酸ガス吸収部が設けられていることを特徴とする。
【００１５】
また、呼気路及び吸気路のマスク部材近傍には、それぞれ逆止弁が設けられ、逆止弁は、使用者の呼気時に吸気路を閉塞し、使用者の吸気時に呼気路を閉塞することを特徴とする。
【００１６】
また、炭酸ガス吸収部は、中空の略筒状体からなり、内部に二酸化炭素吸収剤が設けられていても良い。更に、二酸化炭素吸収剤は、筒状体頂部及び周面に間隙を設けて筒状体内に充填され、二酸化炭素吸収剤内には、筒状体底部から二酸化炭素吸収剤内部に向かって伸びる略筒状の通気路が設けられ、通気路は、呼気格納部と通気可能に連結しても良い。
【００１７】
また、マスク部材、炭酸ガス吸収部、呼気格納部が各々取り外し可能に連結していても良い。
【００１８】
また、炭酸ガス吸収部には、所定量の外気を補給するための補給孔が設けられていても良い。
【発明の効果】
【００１９】
本発明に係る簡易型低酸素呼吸装置は、使用者の口及び鼻を覆うマスク部材と、使用者の呼気内の炭酸ガスを吸収する炭酸ガス吸収部と、所定量の空気を格納可能な呼気格納部とからなり、呼気格納部は、炭酸ガス吸収部を介してマスク部材と通気可能に連結されているため、使用者が自発呼吸を継続することで呼気格納部内を低酸素状態とすることができ、特別な機器や装置などを必要とせず、小型化・軽量化が可能となる。
【００２０】
また、炭酸ガス吸収部は中空の略筒状体からなり、内部に二酸化炭素吸収剤が設けられているため、使用者の呼気内の炭酸ガス又は二酸化炭素を大量に吸収でき、呼気格納部内の炭酸ガス又は二酸化炭素の増加を防止することができ、低酸素呼吸装置の長時間使用が可能となる。
【００２１】
また、炭酸ガス吸収部及び呼気格納部内には一対の排気管と吸気管が設けられ、排気管は、炭酸ガス吸収部内に排気管吸気口が設けられ、呼気格納部内に排気管排出口が設けられ、排気管排出口は、呼気格納部の底部近傍に位置し、排気管排出口には逆止弁が設けられ、吸気管は、炭酸ガス吸収部内に吸気管排出口が設けられ、呼気格納部内に吸気管吸気口が設けられ、吸気管吸気口は、炭酸ガス吸収部内と呼気格納部内の連結部近傍に位置し、吸気管排出口には逆止弁が設けられているため、呼気格納部内の空気を十分に攪拌することができ、呼気格納部内の酸素濃度及び他の気体濃度の局部的なばらつきを無くすことができる。
【００２２】
また、マスク部材、炭酸ガス吸収部、呼気格納部が各々取り外し可能に連結可能であるため、低酸素呼吸装置の使用場所・使用環境を使用者の都合に応じて使用することができる。また、分解して保管し、組み立てて使用することができるため、保管が省スペースで良い。更に、各部材を分解して洗浄、消毒ができるため、衛生的である。
【００２３】
また、炭酸ガス吸収部には、所定量の外気を補給するための補給孔が設けられ、低酸素呼吸装置の使用中に所定量の酸素を供給できるため、呼気格納部内の酸素含有量を一定率に維持することができ、長時間の継続使用が可能となる。
【００２４】
また、使用者の口及び鼻を覆うマスク部材と、所定量の空気を格納可能な呼気格納部とを備え、マスク部材及び呼気格納部間には、使用者の呼気が通過する呼気路と、使用者の吸気が通過する吸気路とが設けられ、呼気路には、呼気内の炭酸ガスを吸収する炭酸ガス吸収部が設けられているため、使用者が呼気格納部から容易に吸気でき、使用者の自発呼吸に無理が生じず、安静状態での長時間使用が可能となる。
【００２５】
また、呼気路及び吸気路のマスク部材近傍には、それぞれ逆止弁が設けられ、逆止弁は、使用者の呼気時に吸気路を閉塞し、使用者の吸気時に呼気路を閉塞するため、使用者の吸気と呼気が混合せず、呼気格納部内の酸素含有量を安定させることができる。
【発明を実施するための最良の形態】
【００２６】
本発明に係る簡易型低酸素呼吸装置２について図面を参照にしながら説明する。図１は、本発明に係る簡易型低酸素呼吸装置２を示した説明図であり、図２は、低酸素呼吸装置２の一実施の形態を示した断面図である。なお、これらの図は説明のためだけのものであり、本発明を何ら限定するものではない。また、本文中の使用者とは、低酸素呼吸装置を使用する者を指す。
【００２７】
本発明に係る簡易型低酸素呼吸装置２は、使用者の口及び鼻を覆うマスク部材４と、使用者の呼気内の炭酸ガスを吸収する炭酸ガス吸収部６と、所定量の空気を格納可能な呼気格納部１４とからなることを特徴とする。
【００２８】
マスク部材４の形状については、図１に示されたように口と鼻を同時に覆って気密可能な形状であればどの様な形状でも良く、適宜設定すれば良い。マスク部材４のその他の形状としては、図３に示されたように、口に含んで使用するストロー部材、チューブ部材なども使用可能である。また、マスク部材４の材料としては、可撓性を有する材料が良く、例えば、天然ゴム、塩化ビニル樹脂、ポリウレタン樹脂等の合成樹脂などを使用するのが良いが、その他にも各種金属を使用しても良い。
【００２９】
次に、呼気格納部１４は、使用者の呼気を貯留可能な部材を指す。呼気格納部１４としては、ビニール袋、合成ゴム・天然ゴム・紙製の袋又は風船など、膨張収縮が可能又は空気の流入排出に応じて形状が変化する材料を使用するのが良い。つまり、呼気格納部１４が使用者の呼吸に応じて変形すれば、使用者の通常呼吸の負担になりにくい。例えば、呼気格納部１４が変形しない場合、常に使用者の力のみで呼吸をする必要がある。吸気時には使用者の吸引力のみで呼気格納部１４から吸気しなければならない。短時間の使用であれば使用者にとって負担にはならないが、長時間の継続使用は非常に負担となる。それに対し、呼気格納部１４が変形可能であれば、呼気格納部１４を外側から押圧して呼気格納部１４内の空気を送り込むこともでき、使用者の負担を軽減することも可能である。なお、呼気格納部１４にゴム風船などの伸縮する材料を使用した時、低い膨張率のものを使用すると、呼気格納部１４を膨張させるために圧力を必要とし、使用者の通常呼吸が困難になる可能性があるため、材料の選択には注意が必要である。この呼気格納部１４の容量としては、４リットル程度の容量が好ましいが、使用者の肺活量、低酸素呼吸装置２の使用環境、使用目的に応じて設定しても良い。また、異なる容量の呼気格納部１４を複数用意すれば、用途や使用者の肺活量などに応じて適したものを選択して使用することができる。
【００３０】
次に、炭酸ガス吸収部６は、低酸素呼吸装置２の使用者の呼気内の炭酸ガスを吸収する部材を指す。上記した呼気格納部１４は、この炭酸ガス吸収部６を介してマスク部材４と通気可能に連結されている構造になっている。つまり、使用者の呼気は、炭酸ガス吸収部６を通過して呼気格納部１４に貯留される構造になっている。この炭酸ガス吸収部６は、図２に示されたように、中空の略筒状体を設けるのが良いが、マスク部材４の一部に炭酸ガス吸収部６を設けても良いし、呼気格納部１４の一部に炭酸ガス吸収部６を設けても良く、その形態や構造については適宜設定することができる。
【００３１】
略筒状体の形状については、図１に示されたように円柱状であるのが良いが、角柱状であっても良く、内部が中空であれば形状や寸法については適宜設定すれば良い。また、材料については、樹脂、硬質ガラス、各種金属などを使用するのが良いが、その他の材料でも良い。
【００３２】
この筒状体内には、二酸化炭素吸収剤８が設けられていても良い。二酸化炭素吸収剤８としては、一般的に市販されているものが使用可能であり、例えばソーダライム等を使用するのが良いが、適宜設定すれば良い。二酸化炭素吸収剤８の設置場所としては、使用者の呼気が二酸化炭素吸収剤８を通過するように設置するのが良く、図２に示されたように設置するのが良い。また、図４に示されたように、筒状体の頂部及び周面に若干の間隙を設けて筒状体内に充填されても良い。この形状は、図２に示された状態よりも二酸化炭素吸収剤８の表面積が大きいため、呼気内の二酸化炭素を吸収しやすい。また、二酸化炭素吸収剤８内に筒状体の通気路３６を設け、呼気格納部１４と通気可能に連結すれば、呼気が二酸化炭素吸収剤８を通過しやすくなる。また、二酸化炭素吸収剤８の表面に穴や窪みを形成しても良く、二酸化炭素吸収剤８と呼気の接触面積を大きくする何らかの処理・加工を施しても良い。また、二酸化炭素吸収剤８は、筒状体と交換可能に設けられているのが良い。例えば、はめ込み式、ねじ込み式に取り付けられているのが良いが、容易に交換可能であればその他の方式でも良い。
【００３３】
また、二酸化炭素吸収剤８の近傍に、使用者が二酸化炭素吸収剤８を吸引しない目的でフィルター部材１０を設けても良い。このフィルター部材１０も、筒状体と交換可能に設けられているのが良い。フィルター部材１０も二酸化炭素吸収剤８と同様に、はめ込み式、ねじ込み式に取り付けられているのが良いが、容易に交換可能であればその他の方式でも良い。また、フィルター部材１０と二酸化炭素吸収剤８が一体となっていても良い。
【００３４】
また、この筒状体には、所定量の外気を補給するための補給孔１２が設けられていても良い。この補給孔１２は、使用者が低酸素呼吸装置２を使用して自発呼吸を継続した時、呼気格納部１４内の酸素が消費され続け、酸素濃度が低下し続けるため、補給孔１２を設けて呼気格納部１４内に所定量の外気を補給し、酸素濃度を一定に保つ又は酸素濃度の低下速度を鈍化させることを目的とする。補給孔１２の形状については特に限定しないが、寸法、形成数、形成位置については、気格納部１４内の酸素濃度を一定に保つことが可能か、または、酸素濃度の低下を鈍化させるように、適宜設定する必要がある。呼気格納部１４内の酸素濃度が上昇するほど外気を補給してしまうと、本発明の目的を達成できないばかりか、一般的に医療現場で使用されている酸素マスクと同じ構造になってしまうため、注意が必要である。
【００３５】
なお、補給孔１２の寸法を設定する目安として、成人男性の酸素消費量を参考にする方法がある。成人男性が安静状態の呼吸時に消費する酸素は、体内組織で２５０ｍｌ／分とされ、吸気量で約１０００ｍｌ／分とされている。従って、補給孔１２の寸法は、外気を取り込む時に、この数値以下になるように設定すれば良い。
【００３６】
また、低酸素呼吸装置２の表面積（容積）に応じて補給孔１２の寸法を設定する方法もある。例えば、マスク部材４、炭酸ガス吸収部６、呼気格納部１４などの全ての合成表面積に対して、補給孔１２の寸法を約１／４００〜１／１４００にしても良い。この方法を用いて、本発明者が実験を行ったところ、使用開始から３分程度で呼気格納部１４内の酸素濃度を１８％程度にでき、その後１８０分に渡って呼気格納部１４内の酸素濃度を１５〜１６％に維持することができた。
【００３７】
また、炭酸ガス吸収部６及び呼気格納部１４内には一対の排気管１６と吸気管２２を設けても良い。図５は、排気管１６及び吸気管２２を設けた低酸素呼吸装置２を示した断面図である。排気管１６及び吸気管２２は、通気可能な管状部材であれば良く、形状や寸法については、適宜設定すればよい。材料についても特に限定しないが、可撓性を有する材料が良く、樹脂が良い。
【００３８】
排気管１６は、排気管吸気口１８が炭酸ガス吸収部６内に設けられ、排気管排気口２０が呼気格納部１４内に設けられ、呼気を炭酸ガス吸収部６から呼気格納部１４に送る管である。また、吸気管２２は、吸気管吸気口２４が呼気格納部１４に設けられ、吸気管排気口２６が炭酸ガス吸収部６内に設けられ、吸気を呼気格納部１４から炭酸ガス吸収部６へと送る管である。排気管１６については、図５に示されているように、排気管排気口２０を呼気格納部１４の底部近傍に設け、吸気管吸気口２４を炭酸ガス吸収部６と呼気格納部１４の連結部近傍に設けるのが良い。この状態で使用者が自発呼吸をすると、排気管排気口２０と吸気管吸気口２４の距離が遠いため、呼気格納部１４内の空気の対流が生じ、呼気格納部１４内の気体が十分に攪拌される。従って、酸素濃度又はその他の気体濃度が、極端に高い箇所や低い箇所が無くなり、呼気格納部１４内の酸素濃度又は他の気体濃度を安定させることができ、長時間使用が可能となる。
【００３９】
この排気管１６及び吸気管２２の吸気口・排気口には逆止弁２８が設けられていても良い。逆止弁２８の形状、構造、設置位置、設置数などについては、特に限定せず適宜設定すればよい。
【００４０】
また、マスク部材４、炭酸ガス吸収部６、呼気格納部１４がそれぞれ取り外し可能に連結されていても良い。連結方法としては、図１に示されたように、通気管同士をはめ込むように形成されるのが良い。図１では、マスク部材４の通気管と炭酸ガス吸収部６の通気管、炭酸ガス吸収部６の通気管と呼気格納部１４の通気管をそれぞれ異なる径に形成し、互いの通気管をはめ込んで連結している。また、どちらかの通気管を伸縮可能で密閉可能なゴム部材で形成し、はめ込んで連結しても良い。また、排気管１６及び吸気管２２も取り外し可能に連結可能であっても良い。
【００４１】
次に、上記とは異なる形態の低酸素呼吸装置２について説明する。図６は、この低酸素呼吸装置２の一実施の形態を示した説明図である。この低酸素呼吸装置２は、使用者の口及び鼻を覆うマスク部材４と、所定量の空気を格納可能な呼気格納部１４とを備え、マスク部材４及び呼気格納部１４間には、使用者の呼気が通過する呼気路３２と、使用者の吸気が通過する吸気路３０とが設けられ、呼気路３２には、呼気内の炭酸ガスを吸収する炭酸ガス吸収部６が設けられていることを特徴とする。
【００４２】
マスク部材４、呼気格納部１４については、上記の説明と同様であるため、詳細な説明は省略する。
【００４３】
この低酸素呼吸装置２は、使用者の呼気及び吸気が通過する部位が別々に設けられている点が前記したものと異なる。また、炭酸ガス吸収部６は、呼気路３２にのみ設けられている点も異なる。呼気及び吸気が
二酸化炭素吸収剤８及びフィルターを通過する構造の場合、ある程度の吸引力を必要とし、使用者にとって負担であり、安静状態の呼吸を継続することが困難となる。その結果、呼吸が乱れ、呼気格納部１４内の酸素濃度に変化を生じるおそれがある。そこで、呼気路３２を設け、呼気格納部１４直接吸気することにより、吸気時にかかる負担を低減させようとするものである。
【００４４】
この吸気路３０及び呼気路３２の形状や寸法などについては、低酸素呼吸装置２の形状や構造などを考慮して適宜設定すれば良い。例えば、図６に示されたようにマスク部材４、炭酸ガス吸収部６、呼気格納部１４がそれぞれ取り外し可能に連結されている場合は、連結した時に吸気路３０及び呼気路３２が位置ずれしないように、何らかの目印を設けたり、連結した時に吸気路３０及び呼気路３２が一致するような連結方法・連結手段を使用すると更に良い。
【００４５】
また、炭酸ガス吸収部６については、呼気路３２内に設けられていれば、その形状及び構造については特に限定せず適宜設定すれば良い。また、図６に示されているように、略筒状体を設け、筒状体内に二酸化炭素吸収剤８及びフィルター部材１０を設けても良い。図中の筒状体は、呼気路３２と吸気路３０が併設されているが、この形状に限らず、呼気路３２にのみ筒状体を設けても良い。筒状体の形状も、図示されたような形状で無くても良く、呼気路３２の形状、低酸素呼吸装置２の形状・構造を考慮し、適宜設定すれば良い。
【００４６】
また、吸気路３０及び呼気路３２には、それぞれ逆止弁３４を設けても良い。この逆止弁３４は、使用者の呼気時に吸気路３０を閉塞し、使用者の吸気時に呼気路３２を閉塞する。図６では、それぞれマスク部材４近傍に設けられているが、設置位置や形状、構造、形成数などについては適宜設定すれば良い。
【００４７】
以上が本発明に係る低酸素呼吸装置２についての説明であるが、本発明の目的を逸脱しない限り種々の条件・設定は変更が可能である。例えば、外気を補給する補給孔１２を設ける換わりに、呼気格納部１４内に所定量の酸素を供給する酸素供給剤などを設けても良い。また、低酸素呼吸装置２を使用者の体の一部に取り付け、係止するため、低酸素呼吸装置２ベルト部材や連結部材などを設けても良い。
【図面の簡単な説明】
【００４８】
【図１】本発明に係る簡易型低酸素呼吸装置を示した説明図である。
【図２】本発明に係る簡易型低酸素呼吸装置の一実施の形態を示した断面図である。
【図３】本発明に係る簡易型低酸素呼吸装置の一実施の形態を示した断面図である。
【図４】本発明に係る簡易型低酸素呼吸装置の一実施の形態を示した断面図である。
【図５】本発明に係る簡易型低酸素呼吸装置の一実施の形態を示した断面図である。
【図６】本発明に係る簡易型低酸素呼吸装置の一実施の形態を示した断面図である。
【図７】従来の呼吸気体格納装置を使用した時の酸素濃度の変化を表したグラフである。
【符号の説明】
【００４９】
２    低酸素呼吸装置
４    マスク部材
６    炭酸ガス吸収部
８    二酸化炭素吸収剤
１０  フィルター部材
１２  補給孔
１４  呼気格納部
１６  排気管
１８  排気管吸気口
２０  排気管排気口
２２  吸気管
２４  吸気管吸気口
２６  吸気管排気口
２８  逆止弁
３０  吸気路
３２  呼気路
３４  逆止弁
３６  通気路
【図１】
2006325722.tif 000003
【図２】
2006325722.tif 000004
【図３】
2006325722.tif 000005
【図４】
2006325722.tif 000006
【図５】
2006325722.tif 000007
【図６】
2006325722.tif 000008
【図７】
2006325722.tif 000009